(57)【要約】【課題】  既存の竿にも対応でき、かつ、魚との遣り取り状況に応じた使用が可能な釣り竿用のトリガーユニット及び釣り竿を提供する。【解決手段】  釣り竿のリールシート装着位置より竿先側部位に、着脱可能なトリガー式の指掛け部７を有している。【選択図】        図２
2008113624.tif 000002
【特許請求の範囲】
【請求項１】
釣り竿のリールシート装着位置より竿先側部位に、着脱可能なトリガー式の指掛け部を有している釣り竿用のトリガーユニット。
【請求項２】
前記指掛け部を、竿外周面から突出する長さが長い大指掛け部と、前記突出する長さが短い小指掛け部とで構成してある請求項1記載の釣り竿用のトリガーユニット。
【請求項３】
前記釣り竿用のトリガーユニットを取り付けた釣り竿。
【発明の詳細な説明】
【技術分野】
【０００１】
本発明は、釣り竿用のトリガーユニットを取り付けた釣り竿に関する。
【背景技術】
【０００２】
リールシートの竿先側の前グリップ部にトリガー状または瘤状の突出部を設け、一方の手を下から前グリップ部にあてがって竿を上下にシャクリ操作する場合に、手指が前記突出部に係止されて滑り難く、魚に竿を取られないようにするための構成を採る竿があった（特許文献１参照）。
【０００３】
【特許文献１】特開平１１−１０３７２９号公報（段落番号〔０００９〕〔００１２〕、及び、図１、２）
【発明の開示】
【発明が解決しようとする課題】
【０００４】
上記構成の場合には、竿を新しく製作する場合に突出部を作り込む構成を採っているために、そのような突出部を有していない既存の竿では、突出部を利用した快適な釣り操作が行えない面があり、何らかの方法で対応する必要があった。
一方、突出部の形状としては、公報の図２において、突出部の手指受止面を竿尻側に傾斜させたもの（２点鎖線）や竿先側に傾斜させたもの（実線）で示すものが記載されているが、突出部の大きさとしては同一種類のものが示されているだけで、魚との遣り取り状況に対応した使い分けを行いたい場合に対応が十分でない面もあった。
【０００５】
本発明の目的は、既存の竿にも対応でき、かつ、魚との遣り取り状況に応じた使用が可能な釣り竿用のトリガーユニット及び釣り竿を提供する点にある。
【課題を解決するための手段】
【０００６】
〔構成〕
請求項１に係る発明の特徴構成は、釣り竿のリールシート装着位置より竿先側部位に、着脱可能なトリガー式の指掛け部を有している釣り竿用のトリガーユニットを構成している点にあり、その作用効果は次の通りである。
【０００７】
〔作用〕
このような釣り竿用のトリガーユニットを構成することによって、トリガーを備えていない既存の釣り竿にも指掛け部を取り付けることが可能になり、魚との遣り取りにおいてその指掛け部に指を掛けて竿の煽り操作等を容易に行うことができる。
【０００８】
〔効果〕
したがって、既存の釣り竿であっても指掛け部を利用した釣り操作が可能になり、操作性の改善が可能になった。
【０００９】
請求項２に係る発明の特徴構成は、請求項１に係る発明において、前記指掛け部を、竿外周面から突出する長さが長い大指掛け部と、前記突出する長さが短い小指掛け部とで構成してある点にあり、その作用効果は次の通りである。
【００１０】
〔作用効果〕
大指掛け部と小指掛け部とを設けているので次ぎのような使い分けが可能である。つまり、魚の前当りがあった場合に魚に十分に針をのみ込ませて完全な針がかり状態を得る為に、釣り竿を手に持って仕掛けを送り込む際には、微妙な送り操作を必要とすることもあるので、小指掛け部に指を掛けて竿操作を行う。魚が完全に針がかりした状態で引き上げるべく竿を煽り操作する場合には、思い切り竿を持上げる必要があるので、大指掛け部に指を掛けて大きく竿操作を行う。
このような使い分けが可能であるので、魚との遣り取りを細かい操作の切り換えで対応できることとなった。
【００１１】
請求項３に係る発明の特徴構成は、請求項１又は２に係る発明において、前記釣り竿用のトリガーユニットを取り付けた釣り竿を構成する点にあり、その作用効果は次の通りである。
【００１２】
〔作用効果〕
トリガーユニットを取り付けることによって、一層使い易い釣り竿を提供できるに至った。
【発明を実施するための最良の形態】
【００１３】
〔第1実施形態〕
釣り竿用のトリガーユニットＡを石鯛竿Ｂに適用した状態で説明する。図１に示すように、可動フード１Ａと固定フード１Ｂとからなるリールシート１とそのリールシート１の竿尻側に紐掛け部２とを設け、竿尻端に石突き３を取り付けるとともに、元竿４の竿先端に釣り糸ガイド９を取り付けて石鯛竿Ｂを構成してある。
【００１４】
この種の石鯛竿Ｂを使用して磯で釣りを行う場合には、図示してはいないが、磯にピトンという治具を立て、このピトンに石突き３の係止溝３Ａを下からあてがうように係止し、リールシート１の竿尻側の部位をピトンの他の係止部に係止して、石鯛竿Ｂをピトンのみで支持し、魚の当りを待つこととなる。
【００１５】
この状態で魚の当りがあった場合には、竿を両手で持上げてユックリと仕掛けを送り込んで、魚が針がかりするような操作を行う（または、魚が針がかりするまで、ピトンに支持する状態を維持することもある）。
次に、大きく竿が撓んで魚が完全に針がかりした場合には、石突き３に上から一方の手をあてがい、他方の手をリールシート１の竿先側に形成したグリップ部にあてがって下から支持した状態で、その他方の手で竿を煽って魚との遣り取りを行いながら、釣上げる。
【００１６】
釣り竿用のトリガーユニットＡについて説明する。図１及び図２に示すように、アルミやチタン等の軽量金属のパイプ材５を、円周方向の一箇所において軸線方向に沿った切断線によって、二つ割り構成に構成するとともに、切断された端面にフランジ部５Ａ、５Ａを設けて、所定位置にトリガーユニットＡを装着した後に、フランジ部５Ａ同士をボルトナット６で連結するように構成する。
【００１７】
パイプ材５のフランジ部５Ａの取付位置より竿軸線を挟んで１８０°反対側にトリガー式の指掛け部７を設けてある。図１及び図２に示すように、指掛け部７は、基端部より先端部に掛けて緩い円弧状を呈し、先端部が竿先側に位置して、指を係止しやすい構成となっている。指掛け部７としては、同一形状のものを、４個を一組として竿軸線方向に並べ、一組を竿先側に配置し、一定間隔を開けて二組目を竿尻側に配置し、いずれか一方の組を選択して、前記した他方の手指を指掛け部７に挟み込んで、竿に対する煽り操作を行う。
【００１８】
トリガーユニットＡについては、アルミやチタン等の軽量金属で構成してあるが、その金属表面に樹脂等を溶着することによって、指掛け部７の指当て部分の感触を良好なものにしてもよい。
ただし、指掛け部７の強度が十分に確保できるのであれば、トリガーユニットＡの全体を硬質・軟質の樹脂等を組み合わせて構成してもよい。
【００１９】
トリガーユニットＡを石鯛竿Ｂに取り付けるには、図２に示すように、トリガーユニットＡの有する弾性変形力を利用してフランジ部５Ａ、５Ａの間隔を十分に広げ、石鯛竿Ｂのリールシート１より竿先側の所定位置に外嵌装着し、弾性復帰力によって取り付いたトリガーユニットＡのフランジ部５Ａ、５Ａ同士をボルトナット６で連結固定してトリガーユニットＡを取り付ける。
このように石鯛竿Ｂに対して後付けできるので、既存の石鯛竿Ｂに対してもこのトリガーユニットＡを適用できる。
【００２０】
〔第２実施形態〕
第１実施形態においては、指掛け部７として同一形状の指掛け部７を複数個配置する構成を示したが、ここでは、大小二種類の指掛け部７Ａ、７Ｂで構成する形態について説明する。
図４に示すように、パイプ材８の竿先側に竿外周面から突出する長さが長い大指掛け部７Ａを二つ配置するとともに、パイプ材８の竿尻側に突出する長さが短い小指掛け部７Ｂを４つ配置して設ける。
【００２１】
図４では、大指掛け部７Ａを二つ、小指掛け部７Ｂを４つ配置する構成を示したが、夫々の数、配置方法等は任意に設定でき、大指掛け部７Ａと小指掛け部７Ｂとを組み合わせて構成するものであればよい。
【００２２】
ここでは、パイプ材８として円周方向の一箇所に切れ目線を設けて二つ割り構成にしていないものを使用する。そうすると、図４で示すように、元竿４の竿先端側から外嵌装着する方法で後付けできる。元竿４の竿先端から所定位置に外嵌装着した場合には、接着剤等で固定する。元竿４に外付けの釣り糸ガイド１０が設けられていない場合には、有効な取付方法となり得る。
【００２３】
尚、大指掛け部７Ａと小指掛け部７Ｂとの使い分けは、前記したように、石鯛竿Ｂを手に持って仕掛けを送り込む際には、微妙な送り操作が伴うこともあるので、小指掛け部７Ｂに指を掛けて竿操作を行い、魚が完全に針がかりした状態で引き上げるべく竿を煽り操作する場合には、思い切り竿を持上げる必要があるので、大指掛け部７Ａに指を掛けて大きく竿操作を行うように使い分けが可能である。
【００２４】
図５に示すように、パイプ材８に大小の指掛け部７Ａ、７Ｂ以外に、係止溝７Ｃを施してもよい。釣り操作において指掛け部７Ａ、７Ｂを使用しなくても良い場合や積極的に係止溝７Ｃの柔らかい握り感覚で竿操作を行いたい場合には、その係止溝７Ｃ部分を使用することができ、一つのトリガーユニットＡで多様な使用形態を確立することができる。特に、石鯛竿Ｂをピトンに支持するのではなく、手に持って当りを待つ釣りを行う場合には、係止溝７Ｃ部分を持つことによって、手の痛み等を和らげることができる。そのために、係止溝７Ｃの部分には、発泡樹脂やネオプレンゴム等の軟性材を使用する。
そして、魚の当りがあった場合には、指掛け部７Ａ、７Ｂに持ち換えて、釣り操作を継続することができる。
【００２５】
上記した場合には、２種類の大きさの指掛け部７Ａ、７Ｂを並設する形態について説明したが、３種類以上の大きさの指掛け部を並設してもよい。また、この２種類の大きさの指掛け部７Ａ、７ＢをトリガーユニットＡに設ける構成について説明したが、新たに石鯛竿Ｂを製作する場合には、トリガーユニットＡではなく、この２種類の大きさの指掛け部７Ａ、７Ｂを直接元竿４に設ける構成を採ってもよい。
【００２６】
〔第３実施形態〕
図６に示すように、既存の釣り竿等に取り付けることのできるトリガーユニットＡを構成するパイプ材１０に、指掛け部７を作用姿勢と非作用姿勢に切り換えるべく、指掛け部７の基端部７ａを軸支することとする。これによって、石鯛竿Ｂを竿ケースに収納して釣り場を移動する場合等には、コンパクトな収納状態とすることができ、持ち運びに有利である。
このパイプ材１０には、指掛け部７を非作用姿勢に収納する凹部１０Ａが形成されており、この凹部１０Ａの壁面には突起部１０ａが設けられ、この突起部１０ａが指掛け部７の先端部に弾性的に作用して指掛け部７を非作用姿勢に維持する機能を担っている。
非作用姿勢に収納されている指掛け部７を作用姿勢に切り換えるには、突起部１０ａの弾性保持力に抗して強く指掛け部７を引き出すことによって、作用姿勢に切り換えることができる。
【００２７】
上記した場合には、作用姿勢と非作用姿勢とに切り換えることのできる指掛け部をトリガーユニットＡに設ける構成について説明したが、新たに石鯛竿Ｂを製作する場合には、トリガーユニットＡではなく、この指掛け部７を直接元竿４に設ける構成を採ってもよい。
【００２８】
〔別実施形態〕
（１）  上記実施形態においては、石鯛竿Ｂに対して適用する形態を示したが、船竿等に使用してもよい。サビキ釣りやジグを使った釣りのように、釣り竿を煽る操作を行う釣り方法に適用可能である。
（２）パイプ材１１の構成としては、図７に示すように、指掛け部７を形成する下半分を半円弧状の部材１１Ａに形成するとともに、その半円弧状の部材１１Ａの両端に揺動可能に四半円弧状の部材１１Ｂ、１１Ｂを連結し、その四半円弧状の部材１１Ｂにフランジ部１１ａを設けて、元竿４に取り付け可能に構成する。
このような構成によって、元竿４へのトリガーユニットＡの着脱が容易になる。
【図面の簡単な説明】
【００２９】
【図１】石鯛竿の元竿部分を示す側面図
【図２】既存の釣り竿にトリガーユニットを取り付ける状態を示す側面図
【図３】既存の釣り竿にトリガーユニットを取り付けた状態を示す縦断正面図
【図４】大指掛け部と小指掛け部との二種類の指掛け部を設けたトリガーユニットを示す側面図
【図５】図４のものに更に係止溝を設けたトリガーユニットを示す側面図
【図６】作用姿勢と非作用姿勢とに切り換え可能な指掛け部を設けたトリガーユニットを示す側面図
【図７】トリガーユニットの別実施形態を示す正面図
【符号の説明】
【００３０】
１            リールシート
７            指掛け部
７Ａ          大指掛け部
７Ｂ          小指掛け部
Ａ            トリガーユニット
Ｂ            石鯛竿（釣り竿）
【図１】
2008113624.tif 000003
【図２】
2008113624.tif 000004
【図３】
2008113624.tif 000005
【図４】
2008113624.tif 000006
【図５】
2008113624.tif 000007
【図６】
2008113624.tif 000008
【図７】
2008113624.tif 000009